(57)【要約】  ＳＤＩ信号として伝送するべく１０ビットワード形式にビット変換する際においては、映像データに８ビット割り当て、残り２ビットについては冗長ビットを付加する処理を行っているため、映像データとして伝送するデータ量が制限されてしまい、結果として高精細な画質の映像を伝送することができなかった。  そこで、ＨＤ−ＳＤＩ信号形式にて入力される映像信号を圧縮して出力するエンコーダ装置であって、入力映像信号をエンコードする８ビットエンコーダと、エンコードされた８ビット形式の信号を、１０ビット形式の信号でありその全てのビットに対して映像信号を割り当てるようにビット変換をする１０ビット変換部と、１０ビット変換後の信号に所定の禁止コードを検出した場合に当該禁止コードを非禁止コード化する非禁止コード化部と、を有するエンコーダ装置を提供する。
2008041305.tif 000002
【特許請求の範囲】
【請求項１】
ＨＤ−ＳＤＩ信号形式にて入力される映像信号を圧縮して出力するエンコーダ装置であって、
冗長２ビットを付加することで１０ビット形式に変換した場合に１０ビット形式で定義された禁止コードを発生することがない８ビット形式の信号に入力映像信号をエンコードする８ビットエンコーダと、
前記エンコードされた８ビット形式の信号を、１０ビット形式の信号でありその全てのビットに対して映像信号を割り当てるようにビット変換をする１０ビット変換部と、
１０ビット変換後の信号に前記所定の禁止コードを検出した場合に当該禁止コードを非禁止コード化する非禁止コード化部と、
を有するエンコーダ装置。
【請求項２】
１０ビット変換部での変換後であって非禁止コード化部処理前の信号をスクランブルするスクランブル部をさらに有する請求項１に記載のエンコーダ装置。
【請求項３】
請求項１又は２に記載のエンコーダ装置にてエンコードされた映像信号をデコードするデコーダ装置であって、
非禁止コード化された信号を復元する復元部を含むデコーダ装置。
【請求項４】
ＨＤ−ＳＤＩ信号形式にて入力される映像信号を圧縮して出力するエンコード方法であって、
冗長２ビットを付加することで１０ビット形式に変換した場合に１０ビット形式で定義された禁止コードを発生することがない８ビット形式の信号に入力映像信号をエンコードする８ビットエンコードステップと、
前記エンコードされた８ビット形式の信号を、１０ビット形式の信号でありその全てのビットに対して映像信号を割り当てるようにビット変換をする１０ビット変換ステップと、
１０ビット変換後の信号に前記所定の禁止コードを検出した場合に当該禁止コードを非禁止コード化する非禁止コード化ステップと、
を有するエンコード方法。
【請求項５】
１０ビット変換ステップでの変換後であって非禁止コード化部処理前の信号をスクランブルするスクランブルステップをさらに有する請求項４に記載のエンコード方法。
【請求項６】
請求項４又は５に記載のエンコード方法にてエンコードされた映像信号をデコードするデコード方法であって、
非禁止コード化された信号を復元する復元ステップを含むデコード方法。
【発明の詳細な説明】
【技術分野】
【０００１】
本発明は、映像信号をエンコードするエンコーダ装置及び、エンコーダ装置にてエンコードされた映像信号をデコードするデコーダ装置に関する。
【背景技術】
【０００２】
放送に用いられる映像信号は、ＳＤＩ（Serial Digital Intarface）信号と呼ばれるＳＭＰＴＥ（Society of Motion Picture and Television Engineers）により定められた規格に従った信号形式が採用されている。【０００３】
ＳＤＩ形式での映像信号には、例えばＨＤ（High Definition）−ＳＤＩ信号とＳＤ（Standard Definition）−ＳＤＩ信号等が用いられている。ＨＤ−ＳＤＩ信号においては約１．５Ｇｂｐｓによる高精細な映像を伝送することができる。一方のＳＤ−ＳＤＩ信号においては、例えば約２７０Ｍｂｐｓによる映像を伝送することができる。このように伝送容量の違いに起因して、ＨＤ−ＳＤＩ信号を用いた映像信号をそのままＳＤ−ＳＤＩ信号網を通じて伝送することは困難であった。【０００４】
そこで、入力されるＨＤ−ＳＤＩ信号に対してＭＰＥＧ形式等による圧縮符号化を行い、情報量を削減してからＳＤ−ＳＤＩ信号形式で映像を伝送する方法が想定される。【０００５】
ＳＤＩ信号は、例えば１画面を構成する各フィールドのライン毎に映像データが構成される。そして、各映像データの直前に、各々が１０ビット構成とされるタイミングコード（ＳＡＶ：Ｓｔａｒｔ ｏｆ Ａｃｔｉｖｅ Ｖｉｄｅｏ）が配されるとともに、各映像データの直後に、各々が１０ビット構成とされるタイミングコード（ＥＡＶ：Ｅｎｄ ｏｆ Ａｃｔｉｖｅ Ｖｉｄｅｏ）が配される。また、各映像データ部分についても同様に１０ビット構成の映像データが配される。このように、各データは１０ビットを１ワードとした１０ビットワード列のデータとなっており、ワード単位で各種処理などが行われる。ＳＤＩ規格においては、前述のタイミングコードＳＡＶもしくはＥＡＶを含んだ複数のコードが、映像データ等を形成する情報コードとしては使用されない禁止コードとして定められている。禁止コードは、例えば図１２に示すように、０００ｈ〜００３ｈ及び３ＦＣｈ〜３ＦＦｈ（「ｈ」は１６進表現を示す）の値である。即ち、００００００００００〜００００００００１１及び１１１１１１１１００〜１１１１１１１１１１が禁止コードとして定められている。ＳＤＩ信号を受信した受信側においては、このタイミングコードなどを基に、映像データの同期処理などを行い、映像の再現を実現している（特許文献１参照）。【０００６】
一方で、禁止コード以外のコードが格納される映像データ部分においては、ＳＤＩ規格の１０ビットワード形式の信号にするために、０〜７ビット目までに映像データを格納し、８ビット目を０〜７ビットまでのパリティビットとし、９ビット目をビット８の反転ビットとするような処理が行われている。このような処理により、映像データ部分のデータが、禁止コードと抵触するようなデータとならないようになっている（特許文献２参照）。
【特許文献１】再公表ＷＯ２００３／０９６６０８号公報
【特許文献２】特開平９−４６７０５号公報
【発明の開示】
【発明が解決しようとする課題】
【０００７】
従来技術においては、ＳＤＩ信号として伝送する１０ビットワード形式にビット変換する場合に、映像データ部分に８ビットを割り当て、残り２ビットについては冗長ビットを付加する処理を行っているため、映像データとして伝送するデータ量が制限されてしまい、結果として高精細な画質の圧縮映像を伝送することができなかった。
【課題を解決するための手段】
【０００８】
そこで、本発明においては、かかる課題を解決するために、ＨＤ−ＳＤＩ信号形式にて入力される映像信号を圧縮して出力するエンコーダ装置であって、冗長２ビットを付加することで１０ビット形式に変換した場合に１０ビット形式で定義された禁止コードを発生することがない８ビット形式の信号に入力映像信号をエンコードする８ビットエンコーダと、前記エンコードされた８ビット形式の信号を、１０ビット形式の信号でありその全てのビットに対して映像信号を割り当てるようにビット変換をする１０ビット変換部と、１０ビット変換後の信号に前記所定の禁止コードを検出した場合に当該禁止コードを非禁止コード化する非禁止コード化部と、を有するエンコーダ装置を提供する。かかる構成により、映像データを１０ビットワード全てに対して割り当てるため、高精細な映像をＳＤＩ形式にて伝送することが可能となる。【０００９】
また、前記エンコーダ装置にてエンコードされた映像信号をデコードするデコーダ装置であって、非禁止コード化された信号を復元する復元部を含むデコーダ装置を提供する。これにより、非禁止コード化された信号に基づいて、元の映像を再現することができる。
【発明の効果】
【００１０】
本発明によれば、ＳＤＩ形式に準拠した信号として映像信号を伝送する場合において、ビット変換時に映像データ部分を多く割り付けるとともに、見た目上禁止コードとなってしまうデータについては、非禁止コード化することにより、符号量が多く割り当てられた映像信号をＳＤＩ形式に準拠して伝送することができる。このため、既存のＳＤ−ＳＤＩ放送網などを用いて、より高精細な映像を伝送することができる。一例としては、エンコーダ装置に入力されるＨＤ信号に圧縮処理を行いＳＤ−ＳＤＩ信号に準拠させて伝送した後に、デコーダ装置側にて復号化を行いＨＤ信号として再度他の装置に出力すること等を行うことができる。
【発明を実施するための最良の形態】
【００１１】
以下に、各発明の実施の形態を説明する。なお、本発明はこれら実施の形態に何ら限定されるものではなく、その要旨を逸脱しない範囲において、種々なる態様で実施し得る。【００１２】
なお、以下の実施形態と請求項の関係は次の通りである。
実施形態１は、主に請求項１、４などについて説明する。
実施形態２は、主に請求項２、５などについて説明する。
実施形態３は、主に請求項３、６などについて説明する。【００１３】
<<本発明の概要>>
図１は、本発明における全体の概要について説明する図である。図１に示すように、本発明はエンコーダ装置１０と、デコーダ装置２０とに関するものである。そして、エンコーダ装置は、例えばＨＤ−ＳＤＩ形式の信号にて入力される映像信号を圧縮する。そして、圧縮した映像信号をＳＤ−ＳＤＩ準拠形式の信号として伝送する。デコーダ装置１１においては、ＳＤ−ＳＤＩ準拠形式の信号にて伝送される圧縮された映像信号を元のＨＤ−ＳＤＩ形式の信号に復元して、他の装置などに対して出力する。図１においては、Ｌｏｓ  Ａｎｇｅｌｅｓに所在するエンコーダ装置から既存のＳＤ−ＳＤＩ網を通じてＳＤ−ＳＤＩ形式に準拠した映像信号が出力される。そして、Ｎｅｗ  Ｙｏｒｋに所在するデコーダ装置１１においては、ＳＤ−ＳＤＩ形式準拠の映像信号を元の映像信号に復元して、ＨＤ−ＳＤＩ形式の信号として外部の放送用機器などに対して出力する。【００１４】
本発明においては、エンコーダ装置に入力されたＨＤ−ＳＤＩ信号を圧縮してＳＤ−ＳＤＩ形式の信号に乗せ換えることにより、既存のＳＤ−ＳＤＩ網を通じて映像信号を伝送することが可能となるとともに、圧縮された映像信号の乗せ換えを行う際に、より高精細な映像信号を利用することが可能な点を特徴とするものである。【００１５】
<<実施形態１>>
<実施形態１の概要>
本実施形態は、エンコーダ装置に関するものである。特に、ＨＤ−ＳＤＩ形式の信号を圧縮した後に、その圧縮した８ビット分の映像データを１０ビットに変換する際に、１０ビット部分の全てに対して映像データとなる映像信号を割り当てることを特徴とするものである。【００１６】
<実施形態１の構成>
図２は、実施形態１のエンコーダ装置における機能ブロック図の一例を示す図である。図２に示すように、本実施形態における「エンコーダ装置」２００は、「８ビットエンコーダ」２０１と、「１０ビット変換部」２０２と、「非禁止コード化部」２０３と、を有する。【００１７】
本件発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。【００１８】
「エンコーダ装置」２００は、ＨＤ−ＳＤＩ信号形式にて入力される映像信号を圧縮して出力する装置である。ＨＤ−ＳＤＩ信号形式のシリアルデータをシリアル／パラレル変換し、その映像信号の圧縮処理を行う。「映像信号の圧縮」の例としては、ＭＰＥＧ（Moving Picture Experts Group）−１方式や、ＭＰＥＧ−２方式などの各種ＭＰＥＧ方式やＨ．２６４方式などが挙げられる。これらのほか、他のいずれの方式の圧縮方式を採用することも可能である。【００１９】
「８ビットエンコーダ」２０１は、冗長２ビットを付加することで１０ビット形式に変換した場合に１０ビット形式で定義された禁止コードを発生することがない８ビット形式の信号に入力映像信号をエンコードする。８ビットエンコーダは、例えばＭＰＥＧ−２に用いられるＭＰＥＧ−２エンコーダが相当する。８ビットエンコーダは、エンコードされた映像信号を８ビット形式で出力するものであれば、どのような方式のものであってもよい。ＭＰＥＧ−２エンコーダにおいては、例えばＤＣＴ（離隔コサイン変換：Discrete Cosine Transform）処理や、量子化処理などが行われる。そして、圧縮された映像信号が８ビットの形式の信号にて出力される。この８ビット形式の信号は、冗長２ビットを付加することで１０ビット形式に変換した場合に１０ビット形式で定義された禁止コードを発生することがない信号である。ＳＤＩ規格においては、８ビット分をそのまま映像データ部とし、パリティビットなどの冗長２ビットを付加することで１０ビット形式に変換した１０ビットワード単位での処理が行われる。ＳＤＩ規格に従い圧縮された映像信号に冗長２ビットを付加する場合には、いわゆる禁止コードを発生することはない。一方で、本実施形態においては、後述するように冗長２ビット部分についても映像データを配することを特徴とするものである。【００２０】
なお、後述するように本実施形態においては映像データ部分の割り当て量の増加が可能となるため、８ビットエンコーダにおけるエンコード処理においては、従来よりも圧縮率を低く設定してエンコード処理を行うことができる。圧縮率を低く設定してエンコード処理を行うことにより高精細な映像を構成する映像信号に圧縮符号化することができる。なお、「禁止コード」とは、既に説明したように、ＳＡＶやＥＡＶなどのようにタイミングコードを示す１０ビットワードの他、規格によって定められたコード（本明細書において「コード」は１０ビットワードと同義。）が挙げられる。【００２１】
「１０ビット変換部」２０２は、前記エンコードされた８ビット形式の信号を、１０ビット形式の信号でありその全てのビットに対して映像信号を割り当てるようにビット変換をする。従来においては、８ビット形式の信号に冗長２ビットを付加する構成としていたものであるが、本実施形態においては、１０ビット全てに対して映像信号を割り当てることを特徴とするものである。【００２２】
図３は、ビット割り当ての概要を説明するための図である。図３（ａ）はＳＤＩ規格における１０ビット形式に変換した際のビット割り当ての一例を示す図である。図３におけるｂ０からｂ９は、１０ビットの各ビットを示している。図３（ａ）に示すように、ＳＤＩ規格においては、ＳＡＶのような禁止コードが１０ビット全てを用いて割り振られる。そして、映像データ部（ＭＰＥＧデータ）については、９ビット目（ｂ８）にｂ０からｂ７のパリティビットが付加され、１０ビット目（ｂ９）にはｂ８の反転ビットが付加される。このように構成することで、映像データ部が含まれる１０ビット形式の信号は、禁止コードとは明確に区別がなされている。一方、図３（ｂ）は、本実施形態における１０ビット変換部におけるビット変換の概要を示した図である。図３（ｂ）に示すように、上位２ビット（ｂ８，ｂ９）に対して冗長ビットを付加するのではなく、その全てに対して映像信号（ＭＰＥＧデータ）を割り当てるようにビット変換をする。これにより、映像データ（ＭＰＥＧデータ）の符号容量を増加することが可能となるため、より高精細な圧縮映像を伝送することが可能となる。【００２３】
「非禁止コード化部」２０３は、１０ビット変換後の信号に前記所定の禁止コードを検出した場合に当該禁止コードを非禁止コード化する。既に説明したように、１０ビット変換した信号は、映像信号を１０ビット全てに対して割り当てているため、映像データ部の本来禁止コードではない部分についても見かけ上禁止コードとなってしまう場合が生じてしまう。このため、見かけ上禁止コードとなってしまうデータを禁止コードではないコードにする（非禁止コード化する）ことが必要となる。【００２４】
図４は、非禁止コード化処理の一例を示す図である。本実施形態における禁止コードは、例えば図４（ａ）に示すように０００ｈ、００１ｈ、００２ｈ、００３ｈ、３ＦＣｈ、３ＦＤｈ、３ＦＥｈ、３ＦＦｈ、００４ｈ、０Ｆ６ｈ、３２８ｈであるものとする。なお、０Ｆ６ｈ、３２８ｈ、００４ｈのように、ＳＤＩ規格においては本来禁止コードではないコードに関しても禁止コードとして取り扱うことが可能である。例えば、０Ｆ６ｈ、３２８ｈについては、フィールドデータのプリアンブルを示す独自コードとして取り扱うことに起因して禁止コードとみなすことができる。また、００４ｈについては、本実施形態においては、禁止コードの発生を示す識別コード（禁止コード識別コード）として使用するものであるが、この禁止コードの発生を示す禁止コード識別コード自体（００４ｈ）についても禁止コード扱いとすることができる。以下、図４（ｂ）を用いて具体的な非禁止コード化の一例について説明するが、この他、システムに応じてＳＤＩ規格外の禁止コードを設定することも可能である。【００２５】
非禁止コード化部においては、１０ビット化された信号の入力コードを検査する。そして図４（ａ）に示すような所定の禁止コードを検出した場合には、そのタイミングに禁止コード識別コードとして００４ｈを挿入し、その次の１０ビットワードが見かけ上禁止コードとなっていることを明示する。そして、見かけ上禁止コードとなっている１０ビットワード自体については最上位ビット（ｂ９）を反転する。図４（ｂ）の例においては、禁止コード３ＦＥｈが非禁止コード化部に入力された場合には、その前に禁止コード識別コードとして００４ｈを挿入し、その後、当該禁止コード３ＦＥｈの最上位ビット（ｂ９）を反転して１ＦＥｈとしている。また、禁止コード識別コードと同一のコードである００４ｈが入力された場合においても同様に、さらに００４ｈを直前に付加し、入力された００４ｈについては最上位ビットを反転して２０４ｈとする。【００２６】
このように処理を行うことにより、見かけ上禁止コードとして出現してしまう映像信号を、非禁止コード化することが可能となる。なお、本例のような非禁止コード化の処理を行うに際しては、禁止コード識別コード００４ｈ部分の１０ビットワード分だけ余分な領域を使用することにはなるものの、１０ビット全てに映像信号を割り当てることを可能にすることと比較すると、その増加分は非常に微少なものとなる。【００２７】
なお、本実施形態にて説明した非禁止コード化の処理は、あくまで一方法を示したものに過ぎず、この他の方法によって見かけ上禁止コードとなっている映像信号を非禁止コード化することももちろん可能である。【００２８】
<実施形態１の処理の流れ>
図５は、実施形態１のエンコーダ装置における処理の流れの一例を示す図である。本実施形態における処理は、以下に示すステップよりなる。なお、以下に示す処理の流れは、計算機に実行させるためのプログラム、またはそのプログラムが記録された読み取り可能な記録媒体、あるいはエンコード方法として実施され得る（以下、本明細書における処理の流れの記載についても同様である）。【００２９】
まず、エンコーダ装置にはＨＤ−ＳＤＩ信号形式の映像信号の入力を受ける（Ｓ５０１）。入力された映像信号は、シリアル／パラレル変換がなされ、その後入力映像信号を８ビット形式の信号にエンコードする（Ｓ５０２）。Ｓ５０２におけるエンコード処理においては、ＤＣＴ変換処理や量子化処理やハフマン符号化処理などが行われる。そして、エンコードされた８ビット形式の信号を１０ビット形式の信号でありその全てのビットに映像信号を割り当てるようにビット変換をする（Ｓ５０３）。その後、１０ビット変換後の信号に所定禁止コードを検出したかを判断する（Ｓ５０４）。Ｓ５０４においては、映像データ部分における禁止コードの検出処理が行われる。Ｓ５０４にて所定の禁止コードを検出した場合には、当該禁止コードを非禁止コード化する（Ｓ５０５）。非禁止コード化の処理の例としては、既に説明したように、禁止コード識別コードを挿入して、当該禁止コードの最上位ビットを反転させる、といった方法が挙げられる。Ｓ５０４にて、禁止コードの検出が行われなかった場合には、そのまま次のステップに進む。その後、１０ビット形式の信号をＳＤ−ＳＤＩ信号形式に準拠させてＳＤ−ＳＤＩ網に対して出力を行う。なお、非禁止コード化された映像信号については、後述するデコーダ装置にてデコード処理がなされる際に復元される。【００３０】
<実施形態１の効果>
実施形態１におけるエンコーダ装置においては、圧縮された８ビット形式の映像信号を１０ビット形式の映像信号に乗せ換えて変換をする場合において、１０ビット全てに対して映像信号を割り当てるようにビット変換を行うことにより、より多くの映像データを伝送することが可能となるため、高精細な圧縮映像を既存のＳＤ−ＳＤＩ網を通じて伝送することができる。特に、ＨＤ−ＳＤＩ形式の信号を圧縮してＳＤ−ＳＤＩ網を通じて伝送する場合においてＨＤ映像の高精細な映像を損なわずに映像信号を伝送することができる。また、映像信号部分において見かけ上禁止コードが発生した場合であっても、非禁止コード化することで、デコーダ装置側において適切に映像を復元することができる。【００３１】
<<実施形態２>>
<実施形態２の概要>
実施形態２は、８ビット形式の信号を１０ビット形式の信号に変換した後にスクランブル処理を行い、禁止コードの出現確率を均一化することを特徴とするエンコーダ装置に関するものである。【００３２】
<実施形態２の構成>
図６は、実施形態２のエンコーダ装置における機能ブロック図の一例を示す図である。図６に示すように、本実施形態における「エンコーダ装置」６００は、「８ビットエンコーダ」６０１と、「１０ビット変換部」６０２と、「非禁止コード化部」６０３と、「スクランブル部」６０４と、を有する。スクランブル部６０４を除く各構成については、実施形態１で説明したものと同様であるため、ここでの説明は省略する。【００３３】
スクランブル部６０４は、１０ビット変換部での変換後であって非禁止コード化部処理前の信号をスクランブルする。「スクランブル」とは、信号（コード）に対して所定の多項式を用いた演算を行うことによりコードの発生確率を均等化する処理のことである。スクランブル処理をすることにより見かけ上禁止コードとなってしまう信号の発生確率を均等化することができるため、結果として非禁止コード化処理を行う確率を低減させることができる。また、スクランブル処理をすることにより、入力される映像信号に依存して非禁止コード化処理が増減することが無くなる。このため、どのような入力信号であっても安定した伝送レートを確保することができる。なお、後述するデコーダ装置においては、スクランブル処理に用いた多項式と同様の多項式を用いて、デスクランブル処理を行うことにより、スクランブル処理前の信号の状態に戻すことができる。【００３４】
<実施形態２の処理の流れ>
図７は、実施形態２のエンコーダ装置における処理の流れの一例を示す図である。Ｓ７０３までの処理の流れについては、実施形態１で説明したものと同様であるため、ここでの説明は省略する。Ｓ７０４においては、１０ビットにビット変換した信号をスクランブルする。そして、Ｓ７０５においては、１０ビット変換後のスクランブルした信号に所定の禁止コードを検出したかの判断を行う。以降の処理については実施形態１で説明したものと同様である。【００３５】
<実施形態２の効果>
実施形態２におけるエンコーダ装置においては、１０ビット変換後にスクランブル処理を行った信号に対して非禁止コード化処理を行うものである。スクランブル処理を行うことにより禁止コードの発生確率を他のコードの発生確率と均一化することができる。このため、相対数の少ない禁止コードの発生確率を結果的に低減させることが可能となり、非禁止コード化の処理を軽減することができる。特に、映像信号のように同一の信号が連続して出現し得る場合などにおいては、スクランブル処理を行ってコードを均一化することによる禁止コードの発生確率の低減効果が、より一層生じることになる。さらには、スクランブル処理を行うことにより、入力される映像信号に依存して非禁止コード化処理が増減することが無くなるため、安定した伝送レートを確保することができる。【００３６】
<<実施形態３>>
<実施形態３の概要>
実施形態３は、実施形態１又は２で説明したエンコーダ装置から出力された映像信号をデコードするデコーダ装置に関するものである。【００３７】
<実施形態３の構成>
図８は、実施形態３のデコーダ装置における機能ブロック図の一例を示す図である。図８に示すように、本実施形態における「デコーダ装置」８００は「復元部」８０１を有する。なお、その他８ビット変換部８０２や、８ビットデコーダ８０３を有する。【００３８】
「デコーダ装置」８００は、エンコーダ装置にてエンコードされた映像信号をデコードする装置である。デコード処理においては、エンコード処理の逆の処理を行うことで元の信号に復元することができる。例えば、逆量子化処理、逆ＤＣＴ処理などを経てデコード処理が行われる。【００３９】
「復元部」８０１は非禁止コード化された信号を復元する機能を有するものである。非禁止コード化された信号を復元するとは、例えば実施形態１で説明したような禁止コード識別コード００４ｈを利用する場合の例においては、禁止コード識別コード００４ｈを検出した際には、当該禁止コード識別コード００４ｈを取り除き、その次のコードの最上位ビット（ｂ９）を反転することで、元の信号に復元することができる。【００４０】
その後は、例えば８ビット変換部８０２において１０ビット形式の信号を８ビット形式の信号に変換して、８ビットデコーダ８０３にて、圧縮された映像信号を元のＨＤ信号に復元する処理などが行われる。このようにしてＨＤ信号に復元された映像信号は、高画質の圧縮処理を経て復元された映像信号であるため、エンコーダ装置に入力された映像信号とほぼ同等の高精細な映像を構成する信号となる。【００４１】
<実施形態３の処理の流れ>
図９は、本実施形態におけるデコーダ装置の処理の流れの一例を示す図である。Ｓ９０２やＳ９０３に示すように、本実施形態においては非禁止コード化された信号を復元する復元ステップを含むものである。以下、その他の処理についても例示して説明を行う。まず、エンコーダ装置などの外部装置から入力されるＳＤ−ＳＤＩ準拠の信号の入力を受け付ける（Ｓ９０１）。そして、入力された映像信号に所定の非禁止コード化された信号を検出したかを判断する（Ｓ９０２）。そして、Ｓ９０２にて非禁止コード化された信号を検出した場合には当該非禁止コード化された信号を復元する（Ｓ９０３）。その後、１０ビット形式の信号を８ビット形式の信号に変換する（Ｓ９０４）。なお、図示していないが、入力された映像信号にスクランブル処理が施されている場合には、デスクランブル処理を行ってから８ビット形式の信号に変換するとしてもよい。そして、その８ビット形式の映像信号をデコードする（Ｓ９０５）。その後、デコードされた映像信号をＨＤ−ＳＤＩ信号形式にて外部装置などに出力する（Ｓ９０６）。【００４２】
<実施形態３の効果>
実施形態３におけるデコーダ装置においては、実施形態１又は２で説明したエンコーダ装置からの高画質で圧縮された映像信号を受信し、これをデコードすることにより、例えばエンコーダ装置に入力されたＨＤ信号とほぼ同等のＨＤ信号を復元して他の放送用機器などに対して出力することが可能となる。【００４３】
<<その他の構成>>
なお、実施形態１又は２で説明したエンコーダ装置と実施形態３で説明したデコーダ装置とを有する高画質圧縮映像信号伝送システムを構成することも可能である。【００４４】
また、この他、エラー訂正方法としてリードソロモン（ＲＳ）符号化によるエラー訂正を行ってもよい。これは従来行われていたパリティビットによるエラー冗長部分に代わるエラー訂正に用いられる。この場合においては、図１０に示すように、リードソロモン符号においては禁止コードの発生を防ぐために９ビット目（ｂ８）をパリティビットとし、１０ビット目（ｂ９）をｂ８の反転ビットとすることも可能である。【００４５】
図１１は、エンコーダ装置の具体例を示す図である。図１１に示すように、ＨＤ−ＳＤＩ形式の信号が入力された場合にはシリアル／パラレル変換した信号がデマルチプレクサ１１０１により分離される。映像信号についてはＭＰＥＧエンコーダ１１０２にて圧縮処理が行われる。その後、１０ビット変換回路１１０３、スクランブル回路１１０４、非禁止コード化回路１１０５、リードソロモン符号付加回路１１０６などを経て他の音声処理信号や制御信号などと多重化（１１１１）し、パラレル／シリアル変換を行いＳＤ−ＳＤＩ準拠信号としてデコーダ装置などに対して出力を行う。なお、デコーダ装置の具体例については、エンコーダ装置で説明した回路と逆の順序にて処理を行う回路を設けることで実現することができるため、図示及び説明は省略する。
【図面の簡単な説明】
【００４６】
【図１】本発明の実施形態の概要を説明するための図
【図２】実施形態１のエンコーダ装置を説明するための機能ブロック図
【図３】１０ビットワードに対して映像信号を割り当てる例を示す図
【図４】非禁止コード化処理の一例を示す図
【図５】実施形態１のエンコーダ装置の処理の流れの一例を示す図
【図６】実施形態２のエンコーダ装置を説明するための機能ブロック図
【図７】実施形態２のエンコーダ装置の処理の流れの一例を示す図
【図８】実施形態３のデコーダ装置を説明するための機能ブロック図
【図９】実施形態３のデコーダ装置の処理の流れの一例を示す図
【図１０】エンコーダ装置の具体的な構成例を示す図
【図１１】リードソロモン符号を付加する例を示す図
【図１２】ＳＤＩ規格における禁止コードの例を示す図
【符号の説明】
【００４７】
２００、６００    エンコーダ装置
２０１、６０１    ８ビットエンコーダ
２０２、６０２    １０ビット変換部
２０３、６０３    非禁止コード化部
６０４    スクランブル部
８００    デコーダ装置
８０１    復元部
【図１】
2008041305.tif 000003
【図２】
2008041305.tif 000004
【図３】
2008041305.tif 000005
【図４】
2008041305.tif 000006
【図５】
2008041305.tif 000007
【図６】
2008041305.tif 000008
【図７】
2008041305.tif 000009
【図８】
2008041305.tif 000010
【図９】
2008041305.tif 000011
【図１０】
2008041305.tif 000012
【図１１】
2008041305.tif 000013
【図１２】
2008041305.tif 000014
【国際調査報告】
2008041305.tif 000015
2008041305.tif 000016
2008041305.tif 000017
2008041305.tif 000018